(57)【要約】【課題】コスト低下および小型化を図りつつ、物品の繰出収納に係る品質向上を図ることができる物品繰出収納装置を提供すること。【解決手段】物品繰出収納装置としての景品読取機１は、セットされた景品を繰り出すための繰出部１１と、繰出部１１から繰り出された景品を搬送する搬送路３２と、  搬送路３２上の景品を識別する制御部と、搬送路３２を通過した景品を収納する収納庫７１と、繰出部１１、搬送路３２および収納庫７１を巡るように設けられた無端状の搬送体であるベルト２２と、を含む。ベルト２２は、その周方向Ｒに沿って一定の間隔で設けられた複数の突起３５を有し、周回移動することによって、繰出部１１の景品を、突起３５で引っ掛けて繰り出し、搬送路３２経由で収納庫７１まで搬送する。【選択図】図３
2015039426.tif 000002
【特許請求の範囲】
【請求項１】
セットされた物品を繰り出すための繰出部と、
前記繰出部から繰り出された物品を搬送する搬送路と、
前記搬送路上の物品を識別する識別手段と、
前記搬送路を通過した物品を収納する収納庫と、
前記繰出部、搬送路および収納庫を巡るように設けられた無端状の搬送体であって、その周方向に沿って一定の間隔で設けられた複数の突起を有し、周回移動することによって、前記繰出部の物品を、前記突起で引っ掛けて繰り出し、前記搬送路経由で前記収納庫まで搬送する搬送体と、
を含むことを特徴とする、物品繰出収納装置。
【請求項２】
前記搬送体において隣り合う前記突起の間隔は、物品１つの寸法より所定以上大きいことを特徴とする、請求項１記載の物品繰出収納装置。
【請求項３】
前記繰出部、搬送路および収納庫は、同一直線に沿って配置されていることを特徴とする、請求項１または２記載の物品繰出収納装置。
【請求項４】
前記収納庫は、前記搬送体における曲り角に隣接して配置されていることを特徴とする、請求項１〜３のいずれかに記載の物品繰出収納装置。
【請求項５】
物品が繰り出し途中および／または搬送途中にある場合において、前記搬送体の周回移動を停止したり、前記搬送体の周回方向を逆転させたりする制御手段を含むことを特徴とする、請求項１〜４のいずれかに記載の物品繰出収納装置。
【請求項６】
前記制御手段は、前記繰出部における物品の繰り出し不良および／または前記識別手段による物品の識別不良が発生した場合に、前記搬送体の周回移動を停止したり、前記搬送体の周回方向を逆転させたりすることを特徴とする、請求項５記載の物品繰出収納装置。
【請求項７】
前記収納庫は、１つ設けられていることを特徴とする、請求項１〜６のいずれかに記載の物品繰出収納装置。
【発明の詳細な説明】
【技術分野】
【０００１】
この発明は、景品等の物品を繰り出して収納するための物品繰出収納装置に関する。
【背景技術】
【０００２】
パチンコ店等の遊技施設では、遊技客が獲得したパチンコ玉等の遊技媒体の個数に応じた数の景品が遊技客に払い出される。景品には、菓子や煙草といった一般景品の他に、所定の金銭価値を有する物体が内蔵された特殊景品が存在する。以下で述べる景品が特殊景品であることを前提として、これからの説明を進める。
遊技客は、払い出された景品を景品交換所に持参することによって、景品の換金を行うことができる。景品交換所には、遊技客から受け取った景品を繰り出して収納するための物品繰出収納装置が設置されている。
【０００３】
物品繰出収納装置として、下記特許文献１で提案された景品読取装置は、複数の景品が載置される繰出し部と、景品に印刷されたバーコードを読み取る識別部と、搬送部と、横方向に並んで設けられた複数の景品収納部とにより構成されている。繰出し部にセットされた複数の景品は、繰出し部ではモータで駆動される押出片により１枚ずつ横方向に繰り出され、搬送部での搬送中に識別部によりバーコードの読み取りが行われた後、それぞれの価値情報に分類され所定の景品収納部に順次落下して収納される。
【先行技術文献】
【特許文献】
【０００４】
【特許文献１】特開２００４−３５１０８７号公報
【発明の概要】
【発明が解決しようとする課題】
【０００５】
特許文献１に記載の景品読取装置では、少なくとも繰出し部および搬送部のそれぞれにおいて、景品を移動させるための駆動機構を別々に備えなければならない。そうすると、景品読取装置におけるコストアップや大型化が不可避である。また、複数の景品収納部が横方向に並んで設けられていることから、景品読取装置の横方向の寸法が必然的に大きくなってしまう。
【０００６】
また、特許文献１に記載の景品読取装置では、繰出し部と搬送部との境界（つなぎ目）での景品の受け渡しミス（いわゆるジャム）を防止できるように、繰出し部と搬送部との（高さ方向や横方向における）相対位置に対して高い精度が求められる。これにより、関連部品の寸法精度の向上や組立調整が必要となるので、更なるコストアップが懸念される。
【０００７】
また、特許文献１に記載の景品読取装置では、移動中の景品から識別部がバーコードを読み取るようになっているので、識別中における景品の移動量を考慮して、識別部による識別範囲を広く確保しなければならず、その分、景品読取装置の大型化が懸念される。なお、識別部による識別が完了しなかった景品については、再識別を行うことができると便利である。
【０００８】
この発明は、かかる背景のもとでなされたもので、コスト低下および小型化を図りつつ、物品の繰出収納に係る品質向上を図ることができる物品繰出収納装置を提供することを主たる目的とする。
また、この発明は、不具合発生時において使い勝手の向上を図ることができる物品繰出収納装置を提供することを別の目的とする。
【課題を解決するための手段】
【０００９】
請求項１記載の発明は、セットされた物品を繰り出すための繰出部と、前記繰出部から繰り出された物品を搬送する搬送路と、前記搬送路上の物品を識別する識別手段と、前記搬送路を通過した物品を収納する収納庫と、前記繰出部、搬送路および収納庫を巡るように設けられた無端状の搬送体であって、その周方向に沿って一定の間隔で設けられた複数の突起を有し、周回移動することによって、前記繰出部の物品を、前記突起で引っ掛けて繰り出し、前記搬送路経由で前記収納庫まで搬送する搬送体と、を含むことを特徴とする、物品繰出収納装置である。
【００１０】
請求項２記載の発明は、前記搬送体において隣り合う前記突起の間隔は、物品１つの寸法より所定以上大きいことを特徴とする、請求項１記載の物品繰出収納装置である。
請求項３記載の発明は、前記繰出部、搬送路および収納庫は、同一直線に沿って配置されていることを特徴とする、請求項１または２記載の物品繰出収納装置である。
請求項４記載の発明は、前記収納庫は、前記搬送体における曲り角に隣接して配置されていることを特徴とする、請求項１〜３のいずれかに記載の物品繰出収納装置である。
【００１１】
請求項５記載の発明は、物品が繰り出し途中および／または搬送途中にある場合において、前記搬送体の周回移動を停止したり、前記搬送体の周回方向を逆転させたりする制御手段を含むことを特徴とする、請求項１〜４のいずれかに記載の物品繰出収納装置である。
請求項６記載の発明は、前記制御手段は、前記繰出部における物品の繰り出し不良および／または前記識別手段による物品の識別不良が発生した場合に、前記搬送体の周回移動を停止したり、前記搬送体の周回方向を逆転させたりすることを特徴とする、請求項５記載の物品繰出収納装置である。
【００１２】
請求項７記載の発明は、前記収納庫は、１つ設けられていることを特徴とする、請求項１〜６のいずれかに記載の物品繰出収納装置である。
【発明の効果】
【００１３】
請求項１記載の発明によれば、この物品繰出収納装置では、繰出部での物品の繰り出しと、繰り出された物品の搬送路における搬送と、搬送路を通過した物品の収納庫への収納とを、周回移動する同一の搬送体だけで達成できる。よって、繰り出し、搬送および収納のために、当該搬送体と、当該搬送体を周回移動させる共通の駆動手段とがあれば済むので、その分、コスト低下および小型化を図ることができる。
【００１４】
また、このように同一の搬送体で物品の繰り出し、搬送および収納を行う場合には、繰出部と搬送路との間や、搬送路と収納庫との間で、物品を円滑に受け渡すことができるし、繰出部と搬送路とのつなぎ目や、搬送路と収納庫とのつなぎ目を極力抹消できる（狭くすることができる）。これにより、ジャム（物品の詰り）の発生を抑制することができるので、物品の繰出収納に係る品質向上を図ることができる。
【００１５】
請求項２記載の発明によれば、搬送体において隣り合う突起の間隔は、物品１つの寸法より所定以上大きいことから、いずれも物品も、隣り合う突起の間に確実に順次入り込めるので、搬送体は、複数の物品の繰り出し、搬送および収納を連続して行うことができる。よって、物品の繰出収納に係る品質向上を一層図ることができる。
請求項３記載の発明によれば、繰出部、搬送路および収納庫が同一直線に沿って配置されていることから、繰出部から収納庫までの物品の移動距離をほぼ最短にすることができるので、物品繰出収納装置の小型化を一層図ることができる。
【００１６】
請求項４記載の発明によれば、周回移動する搬送体は、その曲り角において物品を収納庫に投げ入れるようにすることで、当該曲り角に隣接して配置された収納庫へと当該物品を確実に受け渡すことができる。
請求項５記載の発明によれば、物品繰出収納装置では、必要に応じて、搬送体の周回移動を停止したり、搬送体の周回方向を逆転させたりすることができる。
【００１７】
具体的には、請求項６記載の発明のように、繰出部における物品の繰り出し不良および／または識別手段による物品の識別不良が発生した場合に、搬送体の周回移動を停止したり、搬送体の周回方向を逆転させたりすることができる。これにより、たとえば、繰り出し不良発生時には、搬送体の周回移動を停止させて搬送途中の物品を繰出部にセットし直すことができる。一方、識別不良発生時には、搬送体の周回方向を逆転させることで、識別不良があった物品を識別手段の識別領域まで戻して再識別することができる。よって、不具合発生時において使い勝手の向上を図ることができる。また、搬送体の周回移動を一旦停止して、識別手段が、静止状態の物品を識別するようにすれば、物品の識別精度の向上を図ることもできる。
【００１８】
請求項７記載の発明によれば、収納庫が１つだけなので、物品繰出収納装置の小型化を一層図ることができる。
【図面の簡単な説明】
【００１９】
【図１】図１は、この発明の一実施形態に係る景品読取機１を正面側から見た斜視図である。
【図２】図２は、景品読取機１の電気的な構成を示すブロック図である。
【図３】図３は、景品読取機１の搬送部５を抜き出して示した斜視図である。
【図４】図４は、搬送部５に含まれるベルト２２を抜き出して示した斜視図である。
【図５】図５は、景品４０の構成を示す模式図である。
【図６】図６は、景品読取機１において識別部６が景品４０を識別する様子を図解的に示す模式図である。
【図７】図７は、識別部６における読取部５２の斜視図である。
【図８】図８は、読取部５２の内部構造の斜視図である。
【図９】図９は、景品読取機１の記憶部１６に記憶されるテーブル６０の内容を示す図である。
【図１０】図１０は、記憶部１６に記憶されるテーブル６１の内容を示す図である。
【図１１】図１１は、景品読取機１の収納部８を抜き出して示した斜視図であって、ステージ７６がリジェクト景品抜取位置にある状態を示している。
【図１２】図１２は、収納部８の斜視図であって、ステージ７６が正常景品集積位置にある状態を示している。
【図１３】図１３は、変形例に係る収納部８の正面図である。
【図１４】図１４は、景品読取機１の表示部7における表示内容の一例を示す図である。
【図１５】図１５は、表示部7における表示内容の一例を示す図である。
【図１６】図１６は、表示部7における表示内容の一例を示す図である。
【図１７】図１７は、表示部7における表示内容の一例を示す図である。
【図１８】図１８は、景品４０の分解斜視図である。
【図１９】図１９は、景品４０の断面図である。
【図２０】図２０は、景品４０の内部部品であるＩＣタグ４３を抜き出して示した斜視図である。
【図２１】図２１は、ＩＣタグ４３の断面図である。
【図２２】図２２は、景品４０に対する不正行為の一例を示す図である。
【図２３】図２３は、図２２での不正行為の前後における景品４０の要部（ＩＣタグ４３を含む）の斜視図である。
【図２４】図２４は、景品４０に対する不正行為の一例を示す図である。
【図２５】図２５は、図２４での不正行為の前後におけるＩＣタグ４３の斜視図である。
【発明を実施するための形態】
【００２０】
以下には、図面を参照して、この発明の一実施形態に係る景品読取機１について具体的に説明する。景品読取機１は、物品（ここでは景品）を繰り出して収納する装置（物品繰出収納装置）でもある。
景品読取機１に関し、パチンコ店等の遊技施設で遊技客に払い出された景品を交換してくれる景品交換所という施設が、遊技施設とは別にあり、景品読取機１は、この景品交換所内に設置されている。ちなみに、ここで言う景品とは、菓子や煙草といった一般景品ではなく、所定の金銭価値を有する物体（有価物）が内蔵された特殊景品のことである。この景品は、一般的に、１〜３ｍｍ程度の厚みを有する略長方形状をなす樹脂製のカードである。この景品には、前述した有価物が内蔵されており、たとえば、２００円、１０００円、２０００円、５０００円といった金種に応じた複数（ここでは４つ）の種類が存在する。景品については、以降でさらに詳しく説明する。
【００２１】
景品読取機１の運用として、景品交換所の係員は、遊技客から受け取った景品を、景品読取機１にセットする。その後、景品読取機１の動作が開始されて、セットされた景品が１枚ずつ景品読取機１内に取り込まれ、真偽や金種についての識別を受けた後に、グループ毎にまとめられる。景品読取機１での識別結果（遊技客から受け取った景品の内訳）は、景品読取機１に対して通信可能に接続された出金機（図示せず）に出力され、出金機から、遊技客の景品に相当する現金が、先ほどの遊技客に出金される。以上が、景品の換金に関する一連の流れである。なお、景品交換所には、景品の在庫データを管理する景品管理機（図示せず）が設けられていて、景品読取機１での識別結果が景品管理機に出力されることで、景品管理機における在庫データが更新されてもよい。なお、景品管理機は、景品読取機１と一体型であってもよい。
【００２２】
図１は、この発明の一実施形態に係る景品読取機１を正面側から見た斜視図である。なお、以下では、図１において正面側（図１に紙面手前側）から見たときの景品読取機１の左右上下前後の方向を基準として、景品読取機１およびその構成部品の向きを特定することにする。ここで、左右方向と景品読取機１の幅方向とは同じであり、上下方向と垂直方向とは同じである。そして、前後方向（景品読取機１の奥行き方向）および左右方向（幅方向）は、水平方向に含まれている。
【００２３】
図１を参照して、景品読取機１は、幅方向にやや長手の直方体形状である。景品読取機１の外郭をなす部分を本体２ということにすると、本体２では、右側約３分の２の領域に、操作部３と、プリンタ部４と、搬送部５と、識別部６（識別手段）と、表示部７とが設けられていて、左側約３分の１の領域に、収納部８が設けられている。
操作部３は、景品交換所の係員によって操作（押下）される部分であり、たとえば、本体２の正面における上下方向略中央の右端部に設けられている。操作部３は、景品読取機１の動作を開始させるために操作される開始スイッチ９と、景品読取機１の動作を停止させるために操作される停止スイッチ１０とを含んでおり、開始スイッチ９と停止スイッチ１０とは左右に並んで配置されている。
【００２４】
プリンタ部４は、本体２の上面における幅方向略中央に設けられている。プリンタ部４は、景品読取機１での処理内容を、紙の伝票としてジャーナル出力することができる。
搬送部５は、係員が遊技客から受け取った景品を１枚ずつ繰り出して景品読取機１内で搬送する構成であり、詳しくは、後述する。搬送部５に関し、本体２の正面右上の角（コーナー）部分は、正面側および上側の両方から切り欠くように凹状にえぐられていて、この凹状部分（周辺部分も含む）は、景品が上下に積層した状態でセットされ、当該景品を本体２内に繰り出すための繰出部１１となっている。なお、景品の積層方向（上下方向）は、各景品の厚さ方向と一致している。
【００２５】
識別部６は、搬送部５の繰出部１１から繰り出された景品の真偽や金種を識別する部分であり、詳しくは、後述する。
表示部７は、本体２の正面において、前述した右側約３分の２の領域の略下半分を占めていて、幅方向に長手の長方形状をなす液晶のタッチパネルである。表示部７には、景品読取機１における必要な情報が表示される。表示部７における表示内容については、以降で詳しく説明する。
【００２６】
収納部８は、搬送部５での搬送を終えた景品が収納される収納庫７１を有しており、詳しくは、後述する。
図２は、景品読取機１の電気的な構成を示すブロック図である。
次に、図２を参照しながら、景品読取機１の電気的な構成について説明する。
景品読取機１は、その動作を制御する制御部１５（真偽判別手段、金種判別手段、表裏判別手段、識別手段、制御手段、間隔調整手段、切替手段、速度調整手段）を含んでいる。制御部１５は、ＣＰＵやＲＯＭやＲＡＭ等によって構成されている。景品読取機１において、制御部１５には、前述した操作部３、プリンタ部４、搬送部５、識別部６、表示部７および収納部８のそれぞれと、記憶部１６とが電気的に接続されている。記憶部１６は、様々な情報を記憶している。
【００２７】
以下では、搬送部５、識別部６および収納部８のそれぞれの詳細について、この順番で説明する。
図３は、景品読取機１の搬送部５を抜き出して示した斜視図である。図４は、搬送部５に含まれるベルト２２を抜き出して示した斜視図である。図３および図４の姿勢は、図１の景品読取機１の姿勢と同じである。
【００２８】
図３を参照して、搬送部５は、前述した本体２に固定されたフレーム２０と、前述した繰出部１１と、回転軸２１と、（無端状の）搬送体としてのベルト２２と、駆動モータ２３とを主に含んでいる。
フレーム２０は、正面から見て、幅方向に長手で前後方向にやや薄いボックス状であり、その前面および下面の全域が開放されている。すなわち、フレーム２０は、上壁２０Ａと、左壁２０Ｂと、右壁２０Ｃと、後壁２０Ｄとを一体的に有している。
【００２９】
上壁２０Ａは、幅方向に細長く上下に薄い板状をなしている。上壁２０Ａの前後方向寸法は、長方形の景品における短手方向寸法よりもある程度大きい。左壁２０Ｂは、幅方向に薄い板状をなしており、上壁２０Ａの左端から下方へ延びている。右壁２０Ｃは、幅方向に薄い板状をなしており、上壁２０Ａの右端から下方へ延びている。後壁２０Ｄは、前後方向に薄い板状であり、左壁２０Ｂおよび右壁２０Ｃの後端間に架設されているとともに、上壁２０Ａの後端に接続されている。なお、上壁２０Ａ、左壁２０Ｂ、右壁２０Ｃおよび後壁２０Ｄのそれぞれにおいて、必要に応じて、肉抜き穴（左壁２０Ｂを参照）を形成してもよい。
【００３０】
そして、上壁２０Ａの幅方向略中央には、幅方向に薄く上方へ延びる第１縦壁２４が接続されている。第１縦壁２４の下端と、上壁２０Ａの上面との間には、景品１枚がちょうど通過できる程度の隙間２５が形成されている。つまり、隙間２５の上下方向寸法は、景品１枚の厚さより少し大きく、隙間２５の前後方向寸法は、景品１枚の短手方向寸法より少し大きい。また、上壁２０Ａの後端の略右半分には、前後方向に薄く上方へ延びる第２縦壁２６が接続されている。第１縦壁２４の後端と第２縦壁２６の左端とは、上下方向におけるほぼ全域に亘って接続されており、平面視で、第１縦壁２４および第２縦壁２６の全体が、略Ｌ字をなしている。また、上壁２０Ａの右端部には、ガイド部２７が取り付けられている。ガイド部２７は、中空のボックス状をなしていて、第１縦壁２４に対して右側から対向配置されている。ガイド部２７において第１縦壁２４に対向する左側面をガイド面２７Ａということにすると、ガイド面２７Ａは、上方へ略垂直に延びた後に、第１縦壁２４から離れるように右上側へ傾斜している。
【００３１】
上壁２０Ａの略右側部分、第１縦壁２４、ガイド部２７および第２縦壁２６、ならびにこれらによって囲まれた部分が、前述した繰出部１１を構成している。そして、上壁２０Ａの上面において、第１縦壁２４およびガイド部２７によって幅方向から挟まれ、第２縦壁２６によって後側から仕切られた部分は、繰出部１１において景品が上下に積層した状態でセットされるセット部２８である。セット部２８では、景品の長手方向が景品読取機１の幅方向に沿うように、最大で３０枚の景品がセットされる。ガイド部２７において傾斜したガイド面２７Ａが景品をセット部２８に導くので、セット部２８に景品を円滑にセットできる。
【００３２】
セット部２８では、セットされた景品の前側部分の真下に位置する部分に、幅方向全域に亘ってセット部２８を切り欠く切り欠き２９が形成されている。切り欠き２９は、幅方向に延びる溝状である。ガイド部２７のガイド面２７Ａの下端部において、切り欠き２９と前後方向で同じ位置にある部分には、切り欠き３０が形成されている。切り欠き３０は、切り欠き２９と連通しているとともに、ガイド部２７の内外を連通させている。
【００３３】
上壁２０Ａの上面において、第１縦壁２４よりも左側の領域（「略左半分領域」ということにする）には、一対のガイドレール３１が設けられている。各ガイドレール３１は、当該略左半分領域のほぼ全域（幅方向における全域）に亘るように、幅方向に細長く延びている。一対のガイドレール３１は、前後方向に間隔を隔てて平行に延びている。一対のガイドレール３１のうち、前側のガイドレール３１Ａは、上壁２０Ａの上面の前端部に対して、景品１枚の厚さ分の隙間を隔てて対向している。一対のガイドレール３１のうち、後側のガイドレール３１Ｂは、上壁２０Ａの上面の後端部に対して、景品１枚の厚さ分の隙間を隔てて対向している。景品読取機１において、当該略左半分領域における上壁２０Ａの上面から、一対のガイドレール３１までのスペースを搬送路３２ということにする。搬送路３２は、景品１枚の厚さとほぼ同じ厚さで幅方向に水平に延びる帯状空間である。また、搬送路３２を下から区画する面（つまり、上壁２０Ａの上面）を、搬送面３２Ａということにする。搬送面３２Ａは、水平方向に沿って平坦であり、幅方向に延びている。
【００３４】
搬送路３２は、前述した隙間２５を介してセット部２８に連通しており、セット部２８から水平な状態で左側へ延びている。搬送路３２は、セット部２８にセットされた景品を、セット部２８にセットされたときと同じ姿勢のまま、搬送面３２Ａに載置された状態で左側へ搬送することができる。搬送路３２を搬送中の景品では、前後の端部の真上にガイドレール３１が位置しているので、搬送路３２において、景品は、浮き上がることなく搬送される。なお、セット部２８の景品が各ガイドレール３１に引っ掛かることなく円滑に搬送路３２に受け渡されるように、各ガイドレール３１の下端面の右端部には、右上側へ延びるガイド面３１Ｃが形成されている。
【００３５】
また、当該略左半分領域における上壁２０Ａにおいて、平面視で一対のガイドレール３１の間に位置する領域には、上壁２０Ａを厚さ方向（上下方向）に切り欠く切り欠き３３が形成されている。上壁２０Ａの下側には、前述した識別部６が組み付けられていて、切り欠き３３から搬送路３２内に露出されている。
回転軸２１は、前後方向に延びる軸状体であって、全部で４本設けられている。これらの回転軸２１は、正面視で離散配置された状態で、フレーム２０によって回転可能に支持されている。以下では、４つの回転軸２１のそれぞれを、回転軸２１Ａ、回転軸２１Ｂ、回転軸２１Ｃおよび回転軸２１Ｄというように区別することがある。回転軸２１Ａは、フレーム２０における左上の角に配置されている。回転軸２１Ａの後端部は、フレーム２０の後壁２０Ｄよりも後側へはみ出している。回転軸２１Ｂは、フレーム２０における左下の角から少し右側の位置に配置されている。回転軸２１Ｃは、フレーム２０における右下の角から少し上側の位置に配置されている。回転軸２１Ｄは、フレーム２０における右上の角に配置されている。各回転軸２１では、前後方向においてセット部２８の切り欠き２９と同じ位置に、プーリー３４が一体回転可能に取り付けられている。プーリー３４は、回転軸２１に対して外嵌される円環であって、プーリー３４の軸方向両端部には、周方向全域に亘って径方向外側へ張り出したフランジ３４Ａが一体的に設けられている（回転軸２１Ａ，２１Ｃのプーリー３４を参照）。
【００３６】
図４も参照して、ベルト２２は、無端状をなす環状ベルト（いわゆるエンドレスベルト）であり、ゴム等の弾性体で形成されている。ベルト２２を、その周方向Ｒと直交する平坦面に沿って切断したときの断面は、景品読取機１の前後方向に沿って細長い長方形状をなしている。そして、ベルト２２の外周面２２Ａには、複数（ここでは７つ）の突起３５が、周方向Ｒに沿って一定の間隔で設けられている。各突起３５は、ベルト２２の断面の長手方向（景品読取機１の前後方向）に沿って細長い略直方体のブロック形状であって、ベルト２２に一体形成されている。各突起３５の長手方向寸法Ｌは、ベルト２２の断面の長手方向寸法とほぼ同じである。各突起３５のベルト２２の外周面２２Ａからの突出量Ｓは、景品（図４において符号４０を付したもの）の１枚の厚さＴとほぼ同じである。また、ベルト２２において周方向Ｒに隣り合う２つの突起３５の間隔Ｐは、景品４０の１つの寸法（長手方向寸法Ｑ）よりも所定以上（数ｍｍ程度）大きい。
【００３７】
このようなベルト２２は、図３に示すように、４つの回転軸２１のプーリー３４に対して、所定のテンションがかかった状態で掛け回されている。この状態のベルト２２は、フレーム２０内に配置されている。ベルト２２において各プーリー３４に掛かった部分は、曲り角Ｃになっている。図３では、回転軸２１ＡおよびＢにおけるベルト２２の曲り角Ｃが図示されている。
【００３８】
ベルト２２は、回転軸２１Ａにおける曲り角Ｃではプーリー３４の外周面に沿って湾曲し、その後、右下側へ延びて回転軸２１Ｂのプーリー３４に掛かっている。ベルト２２は、回転軸２１Ｂにおける曲り角Ｃではプーリー３４の外周面に沿って湾曲し、その後、右上側へ延びて回転軸２１Ｃのプーリー３４に掛かっている。ベルト２２は、回転軸２１Ｃにおける曲り角Ｃ（図示せず）ではプーリー３４の外周面に沿って湾曲し、その後、上方へ略垂直に延びて回転軸２１Ｄのプーリー３４に掛かっている。ベルト２２は、回転軸２１Ｄにおける曲り角Ｃ（図示せず）ではプーリー３４の外周面に沿って湾曲し、その後、水平に沿って左側へ延びて回転軸２１Ａのプーリー３４に掛かっている。
【００３９】
ここで、回転軸２１Ａにおけるベルト２２の曲り角Ｃは、収納部８（詳しくは、収納庫７１）に右側から隣接して配置されている。また、ベルト２２は、フレーム２０の上壁２０Ａの略右半分領域（第１縦壁２４より右側の領域）では、繰出部１１におけるセット部２８の切り欠き２９から露出されていて、上壁２０Ａの略左半分領域では、搬送路３２の前端部に配置されている。このように４つの回転軸２１のプーリー３４に掛け回されたベルト２２は、繰出部１１、搬送路３２および収納部８（収納庫７１）を巡るように設けられている。
【００４０】
また、各回転軸２１のプーリー３４における一対のフランジ３４Ａの間に配置されることで、ベルト２２は、前後方向において位置決めされている。そのため、ベルト２２は、周方向Ｒにおけるどの部分においても、セット部２８の切り欠き２９と前後方向で同じ位置にある。
なお、ベルト２２において周方向Ｒに隣り合ういずれか２つの突起３５がセット部２８を左右方向からちょうど挟む位置にあるとき、この状態で静止しているベルト２２は、待機位置にある。フレーム２０の右壁２０Ｃには、ベルト２２が待機状態にあるか否かを検知するセンサ３７が設けられている。前述した２つの突起３５のうちセット部２８の右側（厳密には、ガイド部２７の切り欠き３０）に位置する突起３５があり、この突起３５に対して（後述する正回転方向における上流側から）隣り合う別の突起３５が存在するのだが、センサ３７の検知範囲に当該別の突起３５が常に位置していると、センサ３７は、ベルト２２が待機状態にあることを検知する。
【００４１】
駆動モータ２３は、フレーム２０内において後壁２０Ｄに固定されている。駆動モータ２３の出力軸（図示せず）と、回転軸２１Ａの後端部とには、タイミングベルト３６が掛け回されている。駆動モータ２３が電力を受けて駆動されると、駆動モータ２３の駆動力がタイミングベルト３６を介して回転軸２１Ａに伝達され、回転軸２１Ａが軸周りに回転する。これにより、ベルト２２は、４つの回転軸２１のプーリー３４に掛け回された状態で周回移動する。図３における正面視で反時計回りの方向が、ベルト２２の正回転方向（通常の周回移動方向）であり、時計回りの方向が、ベルト２２の逆回転方向である。なお、ベルト２２は、前述したように周方向Ｒにおけるどの部分においても切り欠き２９と前後方向で同じ位置にあるので、周回移動しているときに、周方向Ｒにおけるどこかの部分が前後にぶれることはない。駆動モータ２３の駆動（換言すればベルト２２の周回移動）は、制御部１５（図２参照）によって制御される。具体的には、駆動モータ２３は、ステッピングモータであり、係員が遊技客から受け取った景品４０をセット部２８にセットしてから開始スイッチ９（図１参照）を押下すると、制御部１５は、駆動モータ２３のステップ角等の制御を行うことで、ベルト２２の周回移動を開始させる。
【００４２】
ベルト２２が正回転方向に周回移動しているとき、ベルト２２の外周面２２Ａの各突起３５は、正回転方向に沿って周回移動する。この際、各突起３５は、フレーム２０の上壁２０Ａ（つまり、回転軸２１Ａと回転軸２１Ｄとの間の領域）においては、セット部２８の切り欠き２９と搬送路３２の前端部とを、この順で、水平方向に沿って左側へ通過する。そのため、繰出部１１のセット部２８に積層状態でセットされた景品４０（図４参照）のうち最下位の景品４０は、その右端縁の前端部が、右側からやってきた突起３５に引っ掛けられることで、左側へ動かされる。これにより、当該景品４０は、右端縁に引っ掛かっている突起３５と、この突起３５に対して（ベルト２２の正回転方向における）下流側から隣り合う別の突起３５との間に挟まれた状態で、繰出部１１から繰り出される。つまり、このような突起３５を有するベルト２２は、繰出部１１のセット部２８にセットされた景品４０を突起３５で繰り出す繰出手段を構成している。なお、ベルト２２を周回移動させる駆動モータ２３や制御部１５を繰出手段の一部とみなしてもよい。
【００４３】
このように繰出部１１から繰り出された景品４０は、ベルト２２の周回移動に伴って、第１縦壁２４の下方の隙間２５を通過し、水平方向（搬送面３２Ａ）に沿って搬送路３２を左側へ搬送される。そして、当該景品４０は、回転軸２１Ａ（回転軸２１Ａにおけるベルト２２の曲り角Ｃ）まで到達すると、搬送路３２を通過したことになり、今まで引っ掛かっていた突起３５によって左側へ押し出されることによって、左側にある収納部８の収納庫７１に投げ入れられる。このようにして、セット部２８に積層状態でセットされた景品４０が、最下位の景品４０から順に、１枚ずつ繰り出されて搬送路３２を通過し、収納部８（収納庫７１）に投げ入れられる。つまり、周回移動するベルト２２は、その曲り角Ｃにおいて景品４０を収納庫７１に投げ入れるようにすることで、当該曲り角Ｃに隣接して配置された収納庫７１へと当該景品４０を確実に受け渡すことができる。
【００４４】
以上のように、ベルト２２は、周回移動することによって、繰出部１１の景品４０を、突起３５で引っ掛けて繰り出し、搬送路３２経由で収納部８（収納庫７１）まで搬送する。よって、この景品読取機１では、繰出部１１での景品４０の繰り出しと、繰り出された景品４０の搬送路３２における搬送と、搬送路３２を通過した景品４０の収納庫７１への収納とを、周回移動する同一（１本）のベルト２２だけで達成できる。よって、繰り出し、搬送および収納のために、このベルト２２と、ベルト２２を周回移動させる共通の駆動モータ２３（図３参照）とがあれば済むので、その分、コスト低下および小型化を図ることができる。
【００４５】
また、このように同一のベルト２２で景品４０の繰り出し、搬送および収納を行う場合には、繰出部１１と搬送路３２との間や、搬送路３２と収納庫７１との間で、景品４０を円滑に受け渡すことができる。また、繰出部１１と搬送路３２とのつなぎ目や、搬送路３２と収納庫７１とのつなぎ目を極力抹消すること（狭くすること）もできる。よって、当該つなぎ目におけるジャム（景品４０の詰り）の発生を抑制することができるで、景品４０の繰出収納に係る品質向上を図ることができる。
【００４６】
また、前述したように、ベルト２２において隣り合う突起３５の間隔Ｐは、景品４０の１つの寸法（長手方向寸法Ｑ）より所定以上大きい（図４参照）。よって、セット部２８にセットされたいずれも景品４０も、隣り合う突起３５の間に確実に順次入り込めるので、ベルト２２は、複数の景品４０の繰り出し、搬送および収納を連続して行うことができる。よって、景品４０の繰出収納に係る品質向上を一層図ることができる。
【００４７】
以上のように繰出部１１から繰り出された景品４０は、搬送路３２で搬送されている途中に、識別部６による識別を受ける。
図５は、景品４０の構成を示す模式図である。次に、図５を参照しながら景品４０について詳説する。景品４０は、本体４１と、有価物４２と、ＩＣタグ４３と、ホログラム４４とを主に含んでいる。
【００４８】
本体４１は、略長方形をなす樹脂製のカードであり、景品４０の外郭をなしている。本体４１の厚さ方向における一方側の外面が、景品４０の表面４０Ａであり、他方側の外面が景品４０の裏面４０Ｂである（図４参照）。この実施形態では、本体４１の外面（つまり、景品４０の外面でもある）の色が、景品４０の金種毎に異なっている。具体的に、景品４０の外面の色は、２００円の金種では緑色であり、１０００円の金種では青色であり、２０００円の金種では黄色であり、５０００円の金種では赤色である。そのため、景品４０の外面の色によって、景品の金種を目視で区別することができる。
【００４９】
有価物４２は、たとえば貴金属（金や銀等）のチップであり、景品４０の外面から目視可能となるように本体４１に埋め込まれている。ちなみに、景品４０では、有価物４２を本体４１から取り出そうとする不正を防止できる構造となっている（詳しくは、後述する）。
ＩＣタグ４３には、景品４０の金種に関する情報や、個々の景品４０に割り当てられた識別情報（遊技施設の店コードや連番）等が記憶されている。ＩＣタグ４３は、本体４１に埋め込まれている。
【００５０】
ホログラム４４は、見方（見る角度）によって色が変わる色彩可変ホログラムである。ホログラム４４は、たとえば四角いシール状をなしていて、景品４０の表面４０Ａに貼り付けられている。図４に示すように、ホログラム４４は、たとえば、略長方形状の本体４１の表面４０Ａにおいて、短手方向においては中央に配置されているものの、長手方向においては一端部または他端部に配置されている。ホログラム４４が表面４０Ａの短手方向中央に配置されていることから、景品４０がセット部２８（図３参照）にどのような向きでセットされたとしても、ホログラム４４は、ベルト２２から前後方向にずれている。そのため、景品４０が識別部６による識別を受けるときに、景品４０のホログラム４４がベルト２２の裏に隠れることはない。
【００５１】
この景品読取機１では、景品４０において外部から見える位置にホログラム４４が貼り付けられ（つまり景品４０から本物のホログラム４４を読み取ることができ）、ＩＣタグ４３から金種の情報を読み取ることができると、当該景品４０が本物（正常）であると判別される。一方、景品読取機１では、ホログラム４４を読み取ることができなかった景品４０、および、ＩＣタグ４３から金種の情報を読み取ることができなかった景品４０は偽物と判別される。
【００５２】
図６は、景品読取機１において識別部６が景品４０を識別する様子を図解的に示す模式図である。図７は、識別部６における読取部５２の斜視図である。図８は、読取部５２の内部構造の斜視図である。
次に、図６〜図８を参照しながら、識別部６について詳説する。
図６では、繰出部１１のセット部２８にセットされた最下位の景品４０（つまり、これから搬送路３２に進入しようとする景品４０）が図示されている。図６において左側へ向けて水平に延びる黒い太線矢印は、搬送路３２での景品４０の搬送方向Ｘを示している。搬送方向Ｘと景品４０の長手方向とは一致している。
【００５３】
識別部６は、搬送路３２の上方に配置される上側識別ブロック５０と、搬送路３２の下方に配置される下側識別ブロック５１とを含んでいる。前述したように識別部６において上壁２０Ａの切り欠き３３から搬送路３２内に露出されている部分は、下側識別ブロック５１である（図３参照）。
上側識別ブロック５０および下側識別ブロック５１のそれぞれは、繰出部１１から繰り出された景品４０からホログラム４４を読み取る読取部５２を１つずつ含んでいる。そのため、上側識別ブロック５０および下側識別ブロック５１の全体で見ると、読取部５２は、搬送路３２に対して、前述した搬送方向Ｘに交差（厳密には、直交）する上下方向における両側に配置されるように一対設けられていることになる。また、この実施形態では、一対の読取部５２は、搬送方向Ｘにおいて同じ位置（同位相の位置）に配置されていて、搬送路３２を挟んで対向配置されている。このように一対の読取部５２を対向配置しておけば、表裏のどちらか（ここでは、表面４０Ａ）にしかホログラム４４が設けられていない景品４０が、表裏の向きが不明な状態で搬送されてきても、景品４０の両側に位置する一対の読取部５２のどちらかが、必ず景品４０からホログラム４４を読み取ることができる。
【００５４】
各読取部５２は、ケーシング５３と、投光手段としてのＬＥＤ発光部５４と、複数（ここでは２つ）のカラーセンサ５５とを含んでいる。
ケーシング５３は、ボックス状であり、ＬＥＤ発光部５４およびカラーセンサ５５を収容している（図７も参照）。ケーシング５３において搬送路３２を臨む面（図７の場合は上面である）には、ＬＥＤ発光部５４およびカラーセンサ５５を搬送路３２側へ露出させる開口５３Ａが形成されている。
【００５５】
ＬＥＤ発光部５４は、ケーシング５３の開口５３Ａから、搬送方向Ｘにおける上流側（右側）へ向けて、搬送面３２Ａ（水平方向）に対して傾斜する方向（細い実線矢印参照）へ光（たとえば白色光）を投光する発光部品である。ここで、紙幣等の紙とは異なり、景品４０には、ある程度の厚みがあるので、一対の読取部５２のそれぞれにおけるＬＥＤ発光部５４からの光が景品４０を透過しない。よって、一対の読取部５２は、前述したように搬送路３２での景品４０の搬送方向Ｘにおける同じ位置において搬送路３２を挟むように対向配置されていても、景品４０からのホログラム４４の読み取りを互いに邪魔し合うことがない。
【００５６】
カラーセンサ５５は、投光された物体の外面における反射光を受光することによって、当該外面の色を読み取るセンサである。レイアウトの一例として、各読取部５２において、２つのカラーセンサ５５は、搬送方向ＸにおいてＬＥＤ発光部５４よりも上流側（右側）に配置されている。各読取部５２における２つのカラーセンサ５５を、カラーセンサ５５Ａとカラーセンサ５５Ｂとに区別する。カラーセンサ５５Ａは、搬送面３２Ａ（搬送路３２）を垂直方向に沿って（上側識別ブロック５０の場合は真上からであり、下側識別ブロック５１の場合は真下から）臨んでいる。一方、カラーセンサ５５Ｂは、搬送面３２Ａ（搬送路３２）を、搬送面３２Ａに対して傾斜する方向に沿って搬送方向Ｘにおける上流側から（上側識別ブロック５０の場合は右上側からであり、下側識別ブロック５１の場合は右下側から）臨んでいる。具体的に、各読取部５２では、カラーセンサ５５Ａにおいて物体（検知対象）からの反射光を受光する面（受光面５８）とカラーセンサ５５Ｂの受光面５８とは、正面視において直交するように配置されている。なお、以上に説明した各読取部５２における各カラーセンサ５５およびＬＥＤ発光部５４のレイアウトはあくまで一例であり、別の構成（たとえば、下側識別ブロック５１の読取部５２において、２つのカラーセンサ５５がＬＥＤ発光部５４よりも下流側に配置される構成）もあり得る。
【００５７】
各読取部５２において、ＬＥＤ発光部５４および２つのカラーセンサ５５は、ケーシング５３に収容された基板５６に接続されている（図８参照）。
また、下側識別ブロック５１において、読取部５２よりも左側（搬送方向Ｘにおける下流側）には、ＩＣリーダライタ５７が設けられている。ＩＣリーダライタ５７は、景品４０のＩＣタグ４３と無線通信することによって、当該ＩＣタグ４３に記憶された情報を読み取ることができる。
【００５８】
繰出部１１から繰り出されて搬送路３２に進入した景品４０の左端部（景品４０の長手方向における一端部であって、搬送方向Ｘにおける下流側の端部でもある）が、搬送方向Ｘにおいて読取部５２と同じ位置（厳密には、ＬＥＤ発光部５４からの光が当たる位置）まで到達すると、制御部１５（図２参照）は、ベルト２２の周回移動を一時停止させる。これにより、景品４０が停止する。このときの搬送方向Ｘにおける景品４０の位置を、第１停止位置ということにする。なお、景品４０の搬送方向Ｘにおける両側には、当該景品４０を挟むようにベルト２２の突起３５が位置しているので、ベルト２２の周回移動の一時停止に応じて、景品４０は、行き過ぎることなく第１停止位置で速やかに停止する。
【００５９】
繰り出された景品４０が第１停止位置で停止すると、上側識別ブロック５０のＬＥＤ発光部５４から当該景品４０の上面（表面４０Ａおよび裏面４０Ｂの一方）に投光され、下側識別ブロック５１のＬＥＤ発光部５４から景品４０の下面（表面４０Ａおよび裏面４０Ｂの他方）に投光される。
景品４０の上面に投光された光は、当該上面で上向きに反射する反射光となり、上側識別ブロック５０の２つのカラーセンサ５５のそれぞれの受光面５８に受光される。ここでの反射光の向きは、カラーセンサ５５Ａに受光される反射光（１点鎖線矢印）と、カラーセンサ５５Ｂに受光される反射光（２点鎖線矢印）とで異なる。つまり、上側識別ブロック５０の２つのカラーセンサ５５は、ＬＥＤ発光部５４によって投光された景品４０の上面の色を、別々の角度から読み取る。
【００６０】
景品４０の下面に投光された光は、当該下面で下向きに反射する反射光となり、下側識別ブロック５１の２つのカラーセンサ５５のそれぞれの受光面５８に受光される。ここでの反射光の向きは、カラーセンサ５５Ａに受光される反射光（１点鎖線矢印）と、カラーセンサ５５Ｂに受光される反射光（２点鎖線矢印）とで異なる。つまり、下側識別ブロック５１の２つのカラーセンサ５５は、ＬＥＤ発光部５４によって投光された景品４０の下面の色を、別々の角度から読み取る。
【００６１】
ここで、景品４０の左端部にホログラム４４が位置していれば、上側識別ブロック５０および下側識別ブロック５１のいずれかにおけるＬＥＤ発光部５４によって投光された光は、ホログラム４４で反射する。そして、上側識別ブロック５０および下側識別ブロック５１の当該いずれかにおける２つのカラーセンサ５５が、ＬＥＤ発光部５４によって投光された景品４０におけるホログラム４４の色を別々の角度から読み取る。ただし、図６の場合、景品４０の左端部でなく、右端部（景品４０の長手方向における他端部であって、搬送方向Ｘにおける上流側の端部でもある）にホログラム４４が位置している。そのため、上側識別ブロック５０および下側識別ブロック５１のどちらの読取部５２も、第１停止位置の景品４０からホログラム４４を読み取ることができない。
【００６２】
第１停止位置の景品４０からホログラム４４を読み取ることができなかった場合、制御部１５は、ベルト２２の周回移動を再開する。そして、景品４０の右端部が、搬送方向Ｘにおいて読取部５２と同じ位置（ＬＥＤ発光部５４からの光が当たる位置）まで到達すると、制御部１５は、ベルト２２の周回移動を再度一時停止させる。これにより、景品４０は、第１停止位置よりも搬送方向Ｘにおいて少し下流側へずれた位置で停止する。このときの搬送方向Ｘにおける景品４０の位置を、第２停止位置ということにする。このときも、景品４０の搬送方向Ｘにおける両側に位置する（ベルト２２の）突起３５のおかげで、景品４０は、行き過ぎることなく第２停止位置で速やかに停止する。なお、第１停止位置で景品４０からホログラム４４を読み取ることができた場合にも、当該景品４０を第２停止位置で停めてホログラム４４を読み取るようにしてもよい。
【００６３】
景品４０が第２停止位置で停止すると、上側識別ブロック５０のＬＥＤ発光部５４から景品４０の上面へ再び投光され、下側識別ブロック５１のＬＥＤ発光部５４から景品４０の下面へ再び投光される。
景品４０の上面に投光された光は、当該上面で上向きに反射する反射光となり、上側識別ブロック５０の２つのカラーセンサ５５のそれぞれに受光され、当該２つのカラーセンサ５５は、ＬＥＤ発光部５４によって投光された景品４０の上面の色を、別々の角度から読み取る。
【００６４】
景品４０の下面に投光された光は、当該下面で下向きに反射する反射光となり、下側識別ブロック５１の２つのカラーセンサ５５のそれぞれに受光され、当該２つのカラーセンサ５５は、ＬＥＤ発光部５４によって投光された景品４０の下面の色を、別々の角度から読み取る。
図６の場合、景品４０の上面が表面４０Ａであり、表面４０Ａの右端部にホログラム４４が位置しているので、景品４０の上面側に位置する上側識別ブロック５０の読取部５２が、第２停止位置の景品４０からホログラム４４を読み取ることができる。この際、上側識別ブロック５０の２つのカラーセンサ５５は、ホログラム４４の色を別々の角度から読み取る。
【００６５】
ホログラム４４は、前述したように見方によって色が変わる。よって、今回のように上側識別ブロック５０の２つのカラーセンサ５５がホログラム４４の色を別々の角度から読み取る場合、たとえば、カラーセンサ５５Ａがホログラム４４から赤色を読み取るのに対し、カラーセンサ５５Ｂがホログラム４４から緑色を読み取る。各カラーセンサ５５がホログラム４４から読み取った色は、制御部１５に送信される。制御部１５は、識別部６（上側識別ブロック５０または下側識別ブロック５１）の２つカラーセンサ５５のそれぞれが読み取ったホログラム４４の色の違い（厳密には、ホログラム４４からの反射光における色彩ＲＧＢデータの違い）から、搬送路３２上の景品４０におけるホログラム４４の真偽（換言すれば、景品４０自体の真偽）を判別（つまり識別）する。具体的に、上側識別ブロック５０または下側識別ブロック５１において、カラーセンサ５５Ａがホログラム４４からの赤色を読み取ったのに対し、カラーセンサ５５Ｂがホログラム４４からの緑色を読み取ったのであれば、読取部５２は景品４０から本物のホログラム４４を読み取れたことになり、制御部１５は、当該ホログラム４４を本物と判別する。逆に、カラーセンサ５５Ａおよびカラーセンサ５５Ｂがホログラム４４からの同じ色を読み取ったり、カラーセンサ５５Ａがホログラム４４からの赤色以外の色を読み取ったり、カラーセンサ５５Ｂがホログラム４４からの緑色以外の色を読み取ったりすると、読取部５２は景品４０から本物のホログラム４４を読み取れたことにならず、制御部１５は、ホログラム４４を偽物と判別する。
【００６６】
なお、図６の場合では、上側識別ブロック５０の読取部５２だけが景品４０からホログラム４４を読み取れることにより、制御部１５は、ホログラム４４（景品４０）の真偽の判別だけでなく、当該景品４０の表裏の向きを把握することもできる。つまり、上下一対の読取部５２（上側識別ブロック５０の読取部５２および下側識別ブロック５１の読取部５２）のどちらが搬送路３２上の景品４０からホログラム４４を読み取ったかに応じて、制御部１５は、当該景品４０の表裏を判別することができる。そのため、景品４０の表裏を反転させる機構が景品読取機１に設けられていれば、識別を終えた景品４０を、その表裏を揃えて収納庫７１に収納することができる。
【００６７】
以上のようにいずれかの読取部５２が第２停止位置の景品４０からホログラム４４を読み取ることができた場合、制御部１５は、ベルト２２の周回移動を再開する。そして、景品４０のＩＣタグ４３が搬送方向Ｘにおいて下側識別ブロック５１のＩＣリーダライタ５７とほぼ同じ位置まで到達すると、制御部１５は、ベルト２２の周回移動を再度一時停止させる。これにより、景品４０は、第２停止位置よりも搬送方向Ｘにおいて少し下流側へずれた位置で停止する。このときの搬送方向Ｘにおける景品４０の位置を、第３停止位置ということにする。このときも、景品４０の搬送方向Ｘにおける両側に位置する（ベルト２２の）突起３５のおかげで、景品４０は、行き過ぎずに第３停止位置で速やかに停止する。
【００６８】
なお、どちらかの読取部５２が第１停止位置の景品４０からホログラム４４を読み取ることができた場合には、制御部１５は、ベルト２２の周回移動を再開した後、景品４０を第２停止位置で停止させることなくベルト２２の周回移動を継続し、景品４０が第３停止位置にくると、ベルト２２の周回移動を一時停止させる。
ＩＣリーダライタ５７は、第３停止位置で停止している景品４０のＩＣタグ４３に記憶された情報（特に、景品４０の金種の情報）を読み取ることができる。この情報は、制御部１５（図２参照）に送られるので、制御部１５は、この情報に基づいて、当該景品４０の金種を判別する。
【００６９】
そして、制御部１５は、以上のように第１停止位置または第２停止位置で景品４０のホログラム４４を本物と判別し、かつ、ＩＣリーダライタ５７が第３停止位置の当該景品４０のＩＣタグ４３から読み取った情報に基づいて当該景品４０の金種を判別した場合のみ、当該景品４０を本物（正常景品）と判別する。逆に、ホログラム４４を本物と判別できなかったり、金種を判別できなかったりした景品４０については、制御部１５は、当該景品４０を偽物（リジェクト景品）と判別する。ちなみに、制御部１５は、第１停止位置または第２停止位置で景品４０のホログラム４４を本物と判別できなければ、金種の判別を問わずに、当該景品４０を偽物と判別してもよい。いずれにせよ、制御部１５は、上下の読取部５２のいずれかが搬送路３２上の景品４０から本物のホログラム４４を読み取れたか否かによって当該景品４０の真偽を自動判別（自動識別）する。よって、景品読取機１では、ホログラム４４を用いて景品４０のセキュリティ向上を図ることができる。特に、ホログラム４４が色彩可変ホログラムであるので、各カラーセンサ５５が読み取ったホログラム４４の色が、それぞれに違うので、制御部１５は、複数のカラーセンサ５５のそれぞれが読み取ったホログラム４４の色の違いから、景品４０の真偽を正確に判別することができる。
【００７０】
なお、制御部１５は、景品４０の真偽を１枚ずつ判別することによって、正常景品４０およびリジェクト景品４０のそれぞれを計数することができる。さらに、制御部１５は、正常景品４０については、金種毎に計数することもできる。
また、繰り出されて搬送される景品４０が、前述したように第１〜第３停止位置で停止することから、制御部１５は、景品４０が繰り出し途中および／または搬送途中にある場合において、ベルト２２の周回移動を停止させている。このようにベルト２２の周回移動を一旦停止して、制御部１５が、静止状態の（移動中でない）景品４０を識別部６で識別するようにすれば、景品４０の識別精度の向上を図ることもできる。
【００７１】
ここで、制御部１５は、必要に応じて、ベルト２２の周回移動を停止させるだけでなく、ベルト２２の周回方向を逆転させてもよい。また、制御部１５は、繰出部１１における景品４０の繰り出し不良および／または制御部１５（識別部６）による景品４０の識別不良が発生した場合に、ベルト２２の周回移動を停止したり、ベルト２２の周回方向を逆転させたりしてもよい。これにより、たとえば、繰り出し不良（セット部２８と搬送路３２とのつなぎ目での景品４０のジャム等）の発生時には、ベルト２２の周回移動を停止させて搬送途中の景品４０を取出し、繰出部１１にセットし直すことができる。一方、識別不良（識別部６が景品４０から必要な情報を読み取れないこと）の発生時には、ベルト２２の周回方向を逆転させることで、１つ前の景品４０を搬送していた突起３５により、識別不良があった景品４０を制御部１５の識別領域（第１〜第３停止位置のいずれか）まで戻して再識別することができる。よって、不具合発生時において使い勝手の向上を図ることができる。
【００７２】
そして、以上のように第３停止位置における景品４０の真偽の判別（金種の判別）が完了すると、制御部１５は、ベルト２２の周回移動を再開する。その結果、真偽の判別を受けた景品４０は、前述したように、回転軸２１Ａにおけるベルト２２の曲り角Ｃまで到達すると、ベルト２２の突起３５（景品４０に上流側から引っ掛かっている突起３５）によって左側へ押し出されることによって、左側にある収納部８の収納庫７１に投げ入れられる。
【００７３】
以上の説明では、ホログラム４４が１種類だけ存在し、どの金種の景品４０であっても、カラーセンサ５５Ａが当該ホログラム４４から赤色を読み取って、カラーセンサ５５Ｂが当該ホログラム４４から緑色を読み取ったのであれば、ホログラム４４を本物と判別するようになっている。これに対し、ホログラム４４の種類が、景品４０の金種に応じて複数存在してもよい。
たとえば、図９のテーブル６０に示すように、カラーセンサ５５Ａ（図９では、単に「カラーセンサＡ」としている。図１０も同様）によって赤色が読み取られて、カラーセンサ５５Ｂ（図９では、単に「カラーセンサＢ」としている。図１０も同様）によって緑色が読み取られるホログラム４４が付いた景品４０を、５０００円の金種の景品４０としてもよい。また、カラーセンサ５５Ａによって黄色が読み取られてカラーセンサ５５Ｂによって青色が読み取られるホログラム４４が付いた景品４０を、２０００円の金種の景品４０としてもよい。また、カラーセンサ５５Ａによって緑色が読み取られてカラーセンサ５５Ｂによって青色が読み取られるホログラム４４が付いた景品４０を、１０００円の金種の景品４０としてもよい。また、カラーセンサ５５Ａによって青色が読み取られてカラーセンサ５５Ｂによって黒色が読み取られるホログラム４４が付いた景品４０を、２００円の金種の景品４０としてもよい。
【００７４】
このようにどの金種の景品４０のホログラム４４においてカラーセンサ５５Ａが何色を読み取ってカラーセンサ５５Ｂが何色を読み取るかは、テーブル６０にまとめられていて、このテーブル６０は、記憶部１６（図２参照）に記憶されている。制御部１５は、景品４０のホログラム４４からカラーセンサ５５Ａが読み取った色と、カラーセンサ５５Ｂが読み取った色とに基づいて、このテーブル６０から、当該景品４０の真偽と金種とを判別する。たとえば、図９のテーブル６０の場合には、景品４０のホログラム４４からカラーセンサ５５Ａが読み取った色が赤色であり、カラーセンサ５５Ｂが読み取った色が緑色であれば、制御部１５は、この景品４０が、５０００円の金種についての本物の景品４０（正常景品４０）であると判別する。このように読取部５２のカラーセンサ５５によるホログラム４４の読取結果によって制御部１５が景品４０の金種を判別すれば、ＩＣタグ４３がなくても、景品４０の金種判別が可能となる。つまり、景品読取機１では、景品４０の金種に応じて複数種類設けられたホログラム４４によって、景品４０の真偽を判別するだけでなく、景品４０の金種を判別することもできる。
【００７５】
また、前述したように景品４０の外面（ホログラム４４以外の部分）の色は、金種毎に異なっている（２００円の金種：緑色、１０００円の金種：青色、２０００円の金種：黄色、５０００円の金種：赤色）。そして、上側識別ブロック５０および下側識別ブロック５１のそれぞれにおいて、カラーセンサ５５Ａおよびカラーセンサ５５Ｂが景品４０の外面から読み取る色は、図１０に示すように、金種毎にテーブル６１にまとめられていて、このテーブル６１は、記憶部１６（図２参照）に記憶されている。制御部１５は、カラーセンサ５５Ａおよびカラーセンサ５５Ｂが景品４０の外面から同じ色を読み取った場合に、テーブル６１を参照して、この色から、当該景品４０の金種を判別することもできる。たとえば、図１０の場合には、カラーセンサ５５Ａおよびカラーセンサ５５Ｂのそれぞれが景品４０の外面から読み取った色がいずれも赤色であれば、制御部１５は、この景品４０が、５０００円の金種の景品４０であると判別する。なお、景品４０の真偽は、前述したように１種類（景品４０の金種を問わず共通）のホログラム４４からカラーセンサ５５Ａおよびカラーセンサ５５Ｂが読み取る色によって判別される。
【００７６】
ただし、景品４０では、表面４０Ａおよび裏面４０Ｂのどちらか一方の色が単色であって他方に模様等が入っていることがある。その場合には、ホログラム４４の位置に基づいて表面４０Ａおよび裏面４０Ｂのどちらか一方（単色である外面）を先立って把握しておいてから、当該一方から読み取った色によって、当該景品４０の金種を判別するとよい。
以上で説明した識別部６では、各読取部５２を構成するカラーセンサ５５の数は、２つに限らず、３つ以上であってもよく、その場合、それぞれのカラーセンサ５５は、それぞれに異なる角度でホログラム４４の色を読み取る。そうすれば、ホログラム４４の識別をさらに高精度で行うことができる。
【００７７】
また、景品４０に設けたＩＣタグ４３から情報を読み取る構成の代わりに、景品４０に設けたバーコード（図示せず）を、識別部６（この場合、バーコードリーダを備える）で読み取る構成を用いることができる。もちろん、ＩＣタグ４３とバーコードとを併用しても構わない。
また、以上で説明した識別部６は、今回の景品読取機１に限らず、ＩＣタグ４３やホログラム４４等の判別部が内蔵された媒体を識別する装置（遊技施設で遊技客に景品４０を払い出す景品払出機等）にも適用できる。たとえば、今回の景品読取機１に、収納部８から景品４０を払い出す機能を設ければ、景品読取機１は、景品払出機にもなる。
【００７８】
次に、識別部６による識別を受けた景品４０の収納先となる収納部８について詳説する。
図１１は、景品読取機１の収納部８を抜き出して示した斜視図であって、ステージ７６がリジェクト景品抜取位置にある状態を示している。図１２は、ステージ７６が正常景品集積位置にある状態を示している。図１１および図１２の姿勢は、図１の景品読取機１の姿勢と同じである。
【００７９】
図１１に示す収納部８は、図１における外側の化粧カバー７０が取り除かれた状態で示されている。収納部８は、前述した収納庫７１と、駆動モータ７２（間隔調整手段、切替手段）とを主に含んでいる。
収納庫７１は、搬送路３２を通過した景品４０を収納するものであり、１台の景品読取機１において、１つだけ設けられている。よって、景品読取機１の小型化を図ることができる。
【００８０】
収納庫７１は、縦長の中空体であり、左壁７３と、右壁７４と、後壁７５と、ステージ７６とを含んでいる。
左壁７３および右壁７４は、ともに左右方向に薄く上下に長い長方形の板状であって、左右に間隔を隔てて対向配置されている。右壁７４は、収納庫７１において搬送部５に対して左側から隣接する部分であって、右壁７４において搬送路３２と上下方向で一致する位置には、貫通孔７４Ａが形成されている。貫通孔７４Ａは、搬送路３２を通過した景品４０を余裕をもって通過させる大きさを有していて、右壁４７の上下方向略中央に位置している。後壁７５は、前後方向に薄く上下に長い長方形の板状であって、左壁７３および右壁７４の後端縁間に架設されている。後壁７５の右側には、後壁７５の上下方向におけるほぼ全域に亘って上下に延びるガイド溝７５Ａが形成されている。ガイド溝７５Ａは、後壁７５を厚さ方向（前後方向）に貫通している。左壁７３と右壁７４と後壁７５とによって囲まれた縦長直方体状の空間は、収納庫７１の内部空間７７である。内部空間７７は、右壁７４の前端縁と後壁７５の前端縁との間から、前方（景品読取機１の正面）へ開放（露出）されている。また、内部空間７７は、右壁７４の貫通孔７４Ａを介して搬送路３２に連通している（図６参照）。
【００８１】
ステージ７６は、上下に薄い板状であり、平面視において内部空間７７内にちょうど収まる略矩形状をなしている。ステージ７６は、複数（ここでは２つ）設けられている。これらのステージ７６は、上下に間隔を隔てた状態で内部空間７７内に収容されている。２つのステージ７６のうち、下側のステージ７６を下側ステージ７６Ａといい、上側のステージ７６を上側ステージ７６Ｂということにする。内部空間７７（厳密には、上側ステージ７６Ｂよりも上側の領域）は、下側ステージ７６Ａおよび上側ステージ７６Ｂによって上下２つの収納エリア７９に区切られている。具体的には、２つの収納エリア７９のうち、一方は、下側ステージ７６Ａと上側ステージ７６Ｂとの間の（相対的に下側に位置する）下側収納エリア７９Ａであり、他方は、上側ステージ７６Ｂ（下側収納エリア７９Ａ）よりも上側に位置する上側収納エリア７９Ｂである。搬送路３２における景品４０の搬送方向Ｘは、前述したように水平方向であることから（図６参照）、上下２つの収納エリア７９は、当該搬送方向Ｘに対する交差方向（厳密には直交方向）である上下方向に内部空間７７をステージ７６で区切ることによって構成されていて、上下方向に並んで隣接配置されている。そのため、収納エリア７９を搬送方向Ｘ（幅方向）に並べて配置する場合に比べて、当該搬送方向Ｘにおける景品読取機１の小型化を図ることができる。また、収納エリア７９およびステージ７６が、それぞれ２つ設けられていることから、収納エリア７９およびステージ７６が同数設けられていることが分かる。
【００８２】
また、各ステージ７６の後端縁の右端部には、ガイド溝７５Ａに挿通される挿通部７８が設けられている。ここで、景品読取機１では、後壁７５の後面に、前述した駆動モータ７２と、変換機構８０（間隔調整手段、切替手段）とが設けられている。駆動モータ７２は、電力を受けて駆動されることによって、回転力を発生させる。変換機構８０は、上下に延びる周回軌跡に沿って周回移動するベルト８１を含んでいる。ベルト８１は、駆動モータ７２の出力軸に連結されていて、駆動モータ７２の回転力を受けて周回移動する。ベルト８１には、各ステージ７６の挿通部７８が連結されている。そのため、ベルト８１の周回移動に応じて、両方のステージ７６が、隣り合うステージ７６の上下の間隔を維持した状態（つまり、一体となった状態）で、上昇したり、下降したりする。つまり、変換機構８０は、駆動モータ７２が発生させた回転を、両方のステージ７６の上下移動に変換する機構である。駆動モータ７２の駆動は、制御部１５（図２参照）によって制御される。具体的には、駆動モータ７２は、ステッピングモータであり、制御部１５は、駆動モータ７２のステップ角等の制御を行うことで、ベルト８１の周回移動量（ステージ７６の上下の移動量）を制御する。
【００８３】
ここで、図１１に示すように下側ステージ７６Ａが内部空間７７のほぼ最下位（厳密には、景品４０の数枚分の厚みだけ最下位から上方の位置）にあって上側ステージ７６Ｂが内部空間７７の上下方向略中央にあるとき、両方のステージ７６の上下方向の位置を「リジェクト景品抜取位置」と呼ぶことにする。
図６を参照して、リジェクト景品抜取位置にある両方のステージ７６のうち、上側ステージ７６Ｂの上面が、右壁７４の貫通孔７４Ａを介して搬送路３２の搬送面３２Ａと略面一になり、搬送面３２Ａに対して僅かな隙間を隔てて左から連続している。このとき、収納庫７１の上側ステージ７６Ｂの上面と、搬送路３２の搬送面３２Ａと、繰出部１１のセット部２８とが、水平方向に延びる同一直線Ｙに沿って配置されている。ただし、厳密には、若干のずれがあってもよいので、上側ステージ７６Ｂの上面と、搬送路３２の搬送面３２Ａと、繰出部１１のセット部２８とは、同一直線Ｙにほぼ沿うように配置されていればよい。このようにすれば、繰出部１１から収納庫７１までの景品４０の移動距離をほぼ最短にすることができるので、景品読取機１の小型化を一層図ることができる。
【００８４】
そして、図１１に示すように各ステージ７６がリジェクト景品抜取位置にある状態で駆動モータ７２を駆動させると、両方のステージ７６が内部空間７７内で上昇する。図１２に示すように上限まで上昇したときの両方のステージ７６の上下方向の位置を「正常景品集積位置」と呼ぶことにする。正常景品集積位置にある下側ステージ７６Ａは、内部空間７７の上下方向略中央にあり、正常景品集積位置にある上側ステージ７６Ｂは、内部空間７７のほぼ最上位にある。ただし、このときの上側収納エリア７９Ｂには、数枚分の景品４０を収容できる程度の余裕がある。
【００８５】
図６を参照して、正常景品集積位置にある両方のステージ７６のうち、下側ステージ７６Ａの上面が、右壁７４の貫通孔７４Ａを介して搬送路３２の搬送面３２Ａと略面一になり、搬送面３２Ａに対して僅かな隙間を隔てて左から連続している。このとき、リジェクト景品抜取位置の場合と同様に、収納庫７１の下側ステージ７６Ａの上面と、搬送路３２の搬送面３２Ａと、繰出部１１のセット部２８とが、水平方向に延びる同一直線Ｙに（ほぼ）沿って配置されている。そのため、繰出部１１から収納庫７１までの景品４０の移動距離をほぼ最短にすることができるので、景品読取機１の小型化を一層図ることができる。
【００８６】
図１２に示すように各ステージ７６が正常景品集積位置にある状態で制御部１５が駆動モータ７２を逆駆動させると、図１１に示すように、両方のステージ７６がリジェクト景品抜取位置まで下降する。なお、待機状態（ホームポジション）のステージ７６は、リジェクト景品抜取位置にある。
識別部６での識別の結果、本物と判別された景品４０（正常景品４０）の収納先は、下側収納エリア７９Ａである。識別部６での識別の結果、偽物と判別されてリジェクトされる景品４０（リジェクト景品４０）の収納先は、上側収納エリア７９Ｂである。景品読取機１のセット部２８にセットされる景品４０では、ほとんどが正常景品４０であることから、正常景品４０は、多数派であり、リジェクト景品４０は、少数派である。
【００８７】
制御部１５は、駆動モータ７２および変換機構８０でステージ７６を上下させることによって、２つの収納エリア７９のうち、各景品４０（正常景品４０およびリジェクト景品４０のそれぞれ）の収納先となる収納エリア７９を切り替えることができる。
具体的には、制御部１５は、識別部６での景品４０（第３停止位置にある）の識別に応じて、当該景品４０を本物と判別した場合、前述したようにベルト２２の周回移動を再開するのに前後して、ステージ７６をリジェクト景品抜取位置から正常景品集積位置（図１２参照）まで上昇させる。すると、下側収納エリア７９Ａの底をなす下側ステージ７６Ａの上面が、搬送路３２の搬送面３２Ａとつながるので（図６参照）、周回移動が再開されたベルト２２の突起３５によって、当該景品４０が左側へ押されて下側収納エリア７９Ａへ投げ入れされ、下側ステージ７６Ａの上面に載置される。これにより、下側収納エリア７９Ａへの正常景品４０の収納が達成される。
【００８８】
ちなみに、すでに下側収納エリア７９Ａに正常景品４０が収納された状態で、後続の正常景品４０を下側収納エリア７９Ａに収納する場合がある。この場合には、制御部１５は、駆動モータ７２を制御して、下側収納エリア７９Ａに既に収納された正常景品４０のうち最上位の正常景品４０の上面が搬送面３２Ａと略面一になるまで、ステージ７６を景品４０の１枚の厚みだけ下降させる。この状態でベルト２２の周回移動が再開されると、ベルト２２の突起３５によって、後続の正常景品４０が左側へ押されて下側収納エリア７９Ａへ投げ入れされ、下側ステージ７６Ａにおける最上位の正常景品４０に対して上から積層される。これにより、下側収納エリア７９Ａへの後続の正常景品４０の収納が達成される。後続の正常景品４０の収納に先立って、下側収納エリア７９Ａに既に収納された最上位の正常景品４０の上面が搬送面３２Ａと略面一になっていることから、最上位の正常景品４０に対する後続の正常景品４０の落下距離を小さく抑えることができるので、最上位の正常景品４０に対して後続の正常景品４０をきれいに積層することができる。
【００８９】
以上のように、既に下側収納エリア７９Ａに正常景品４０が収納された状態で、後続の正常景品４０を下側収納エリア７９Ａに収納する場合には、両方のステージ７６が元の正常景品集積位置から徐々に下がっていく。下側収納エリア７９Ａには、最大で２１枚の正常景品４０を上下に積層した状態で収納することができる。
一方、制御部１５は、識別部６での景品４０（第３停止位置にある）の識別に応じて、当該景品４０を偽物と判別した場合、前述したようにベルト２２の周回移動を再開するのに前後して、ステージ７６をリジェクト景品抜取位置（図１１参照）まで下降させる。ちなみに、既にステージ７６がリジェクト景品抜取位置にあれば、制御部１５は、ステージ７６を移動させない。ステージ７６がリジェクト景品抜取位置にある状態では、上側収納エリア７９Ｂの底をなす上側ステージ７６Ｂの上面が、搬送路３２の搬送面３２Ａとつながっているので（図６参照）、周回移動が再開されたベルト２２の突起３５によって、当該景品４０が左側へ押されて上側収納エリア７９Ｂへ投げ入れされ、上側ステージ７６Ｂの上面に載置される。これにより、上側収納エリア７９Ｂへのリジェクト景品４０の収納が達成される。
【００９０】
ちなみに、すでに上側収納エリア７９Ｂにリジェクト景品４０が収納された状態で、後続のリジェクト景品４０を上側収納エリア７９Ｂに収納する場合がある。この場合には、正常景品４０について説明したのと同様に、制御部１５は、駆動モータ７２を制御して、上側収納エリア７９Ｂに既に収納された最上位のリジェクト景品４０の上面が搬送面３２Ａと略面一になるまで、ステージ７６を若干（景品４０の一枚の厚み分）下降させる。この状態でベルト２２の周回移動が再開されると、ベルト２２の突起３５によって、後続のリジェクト景品４０が左側へ押されて上側収納エリア７９Ｂへ投げ入れされ、上側ステージ７６Ｂにおける最上位のリジェクト景品４０に対して上から積層される。これにより、上側収納エリア７９Ｂへの後続のリジェクト景品４０の収納が達成される。よって、すでに上側収納エリア７９Ｂにリジェクト景品４０が収納された状態で、後続のリジェクト景品４０を上側収納エリア７９Ｂに収納する場合には、両方のステージ７６が元のリジェクト景品抜取位置から徐々に下がっていく。上側収納エリア７９Ｂには、最大で３枚のリジェクト景品４０を積層状態で収納することができる。なお、各ステージ７６がリジェクト景品抜取位置にあるとき、前述したように下側ステージ７６Ａが内部空間７７の最下位から景品４０の数枚分（前述した３枚分）の厚みだけ上方の位置ある。つまり、リジェクト景品抜取位置の下側ステージ７６Ａは、景品４０の数枚分の厚みだけさらに下降できる。よって、両方のステージ７６（特に下側ステージ７６Ａ）が元のリジェクト景品抜取位置から下がることで、上側収納エリア７９Ｂに３枚のリジェクト景品４０を確実に収納できる。
【００９１】
また、制御部１５は、ある景品４０を本物と判別した後に、次の景品４０を偽物と判別すると、または、次の景品４０の識別が不要であると判断すると、先行の正常景品４０が下側収納エリア７９Ａに収納されたことに応じて、両方のステージ７６を今までの正常景品集積位置からリジェクト景品抜取位置へと切り替える。これにより、後続のリジェクト景品４０は、上側収納エリア７９Ｂに収納される。このリジェクト景品４０に続いて、制御部１５が次の景品４０を本物と判別すると、制御部１５は、両方のステージ７６を今までのリジェクト景品抜取位置から正常景品集積位置へと切り替える。これにより、正常景品４０およびリジェクト景品４０のそれぞれを、該当する収納エリア７９に振り分けることができる。
【００９２】
そして、セット部２８にセットされた全ての景品４０が各収納エリア７９に振り分けらえると、制御部１５は、ステージ６７をリジェクト景品抜取位置まで戻す。その後、各収納エリア７９の景品４０は、係員によって回収される。各収納エリア７９からの景品４０の回収を終えた係員が、停止スイッチ１０（図１参照）を押下すると、景品読取機１では、セット部２８にセットされた景品４０の繰出、判別、振分および収納という一連の処理が完了したことになる。なお、制御部１５は、先ほどまで下側収納エリア７９Ａに収納されていた正常景品４０の金種毎の枚数（計数結果）や買取額といった情報（リジェクト景品が存在する場合については、その旨も）を表示部７（図１参照）に表示させたり、当該換金額分の出金を行うように（前述した）出金機に対して出金指示を出したりしてもよい。また、リジェクト景品を収納する収納エリア７９が満杯（３枚）になった場合、景品読取機１が自動停止するようにしてもよい。この場合、想定以上のリジェクト景品が発生したのであるから、再度景品４０の読み取りを行うために景品読取機１を止めるのである。
【００９３】
以上のように、景品読取機１では、収納庫７１を、正常景品４０用の下側収納エリア７９Ａと、リジェクト景品４０用の上側収納エリア７９Ｂとによる上下２段構成としている。これにより、景品読取機１全体の幅方向寸法（ワイド寸法）を小さくすることができる。そして、景品読取機１では、真偽の判別を受けて搬送路３２を通過した景品４０を、収納エリア７９毎（下側収納エリア７９Ａまたは上側収納エリア７９Ｂ）に振り分けて収納するようにしている。各収納エリア７９への景品４０の振り分けは、ステージ７６の上下移動だけで達成できる。すなわち、各収納エリア７９と搬送路３２との相対位置を変化させるだけのシンプルな構成で、各収納エリア７９と搬送路３２とを選択的に接続させて、（搬送路３２を通過した）景品４０を収納エリア７９毎に振り分けて収納できる。このように各収納エリア７９と搬送路３２との相対位置を変化させるだけで景品４０を収納エリア７９毎に振り分けて収納できることから、各収納エリア７９へ景品４０を振り分ける構成の簡略化を図ることができるので、景品読取機１ではコスト低下を図ることができる。
【００９４】
さらに、下側収納エリア７９Ａと上側収納エリア７９Ｂとを近接配置しているので、各収納エリア７９への景品４０の振分のためのステージ７６の上下の移動距離を短く抑えることができる。よって、各収納エリア７９へ景品４０を迅速に振り分けることができる。
また、収納庫７１では、下側収納エリア７９Ａに多数派の正常景品４０を収納し、上側収納エリア７９Ｂに少数派のリジェクト景品４０を収納している。この場合、逆の構成（上側収納エリア７９Ｂに多数派の景品４０を収納し、下側収納エリア７９Ａに少数派の景品４０を収納する頭でっかちな構成）に比べて、収納庫７１の内部空間７７を上下方向において有効利用できるので、収納庫７１の上下方向の寸法を小さく抑えることができる。よって、景品読取機１の小型化を一層図ることができる。
【００９５】
また、制御部１５は、前述した駆動モータ２３（図３参照）の駆動を制御することによって、ベルト２２の周回速度を調整できる。ベルト２２の周回速度は、搬送路３２における景品４０の搬送速度に等しい。この場合、制御部１５は、搬送路３２を景品４０が通過するまでに収納エリア７９の切り替えが完了するように、搬送路３２における景品４０の搬送速度を調整することができる。具体的には、搬送路３２における景品４０の位置を検知するセンサ（図示せず）を設けておく。そして、このセンサの検知結果に応じて、制御部１５は、当該景品４０が搬送路３２を通過して収納庫７１の貫通孔７４Ａに差し掛かるタイミング（「通過タイミング」ということにする）と、当該景品４０の収納先となる収納エリア７９が搬送路３２とつながるタイミング（「切替タイミング」ということにする）とを予測して比較する。切替タイミングが通過タイミングより遅れることが判明した場合、制御部１５は、ベルト２２の周回移動を停止させたり、ベルト２２の周回速度を遅らせたりする。
【００９６】
このように搬送路３２における景品４０の搬送速度が調整されることによって、搬送路３２を景品４０が通過するまでに収納エリア７９の切り替えを必ず完了させることができるので、搬送路３２を通過した景品４０を、収納先として切り替えられた収納エリア７９に確実に振り分けることができる。
図１３は、変形例に係る収納部８の正面図である。
【００９７】
なお、図１１および図１２の収納庫７１では、ステージ７６が２つ設けられていて、収納庫７１の内部空間７７が２つの収納エリア７９に区切られていたが、図１３に示すように、ステージ７６の数と収納エリア７９の数は、任意に変更可能である。前述したようにステージ７６は収納エリア７９の底をなすので、ステージ７６と収納エリア７９とは、前述したように同数設けられている。また、ステージ７６および収納エリア７９のそれぞれは、複数設けられている。図１３では、４つのステージ７６が上下に間隔を隔てて設けられていて、４つの収納エリア７９が上下に並んで設けられている。この場合、最上位の収納エリア７９には、リジェクト景品４０を収納し、下３つの収納エリア７９には、正常景品４０を金種毎に分けて収納してもよい。
【００９８】
また、前述した変換機構８０がステージ７６毎に設けられていて、各ステージ７６が単独で上下に移動することができてもよい。この場合、変換機構８０全体（駆動モータ７２や制御部１５も含む）は、上下方向（前述した搬送方向Ｘに対する交差方向）に隣り合うステージ７６の間隔を調整する間隔調整手段として機能する。ここでの間隔調整手段によって、景品読取機１の運用として、各収納エリア７９が収納予定枚数の景品４０をちょうど収納できる広さとなるように、隣り合うステージ７６の間隔（つまり、各収納エリア７９の上下の寸法であり、各収納エリア７９における景品４０の収納可能枚数でもある）をソフト設定によって任意に調整できる。このように各収納エリア７９の広さを景品４０の収納予定枚数に応じて調整することによって、収納庫７１の内部空間７７を有効利用できるので、収納庫７１の交差（上下）方向の寸法を小さく抑えることができる。よって、景品読取機１の小型化を一層図ることができる。
【００９９】
図１４〜図１７は、景品読取機１の表示部7における表示内容の一例を示す図である。
次に、図１４〜図１７を参照して、表示部７について詳説する。表示部７は、前述したように本体２の正面における右側約３分の２の領域の略下半分を占めていることから、比較的大きい（図１参照）。また、表示部７は、正面視において、搬送部５（繰出部１１および搬送路３２）および収納部８に囲まれている（図１参照）。よって、表示部７では、その大きさおよびレイアウトを有効利用した表示が可能である。
【０１００】
たとえば、リジェクト景品４０が収納される上側収納エリア７９Ｂ（ここでは、「リジェクト収納庫」ということにする）に収納可能上限枚数（前述した３枚）までリジェクト景品４０が収納されたか否かを検知するセンサ（「リジェクト収納庫残留検知センサ」といい、図示せず）が設けられている。なお、同様のセンサが、下側収納エリア７９Ａにおける正常景品４０の枚数を検知するために別途設けられていてもよい。
【０１０１】
リジェクト収納庫に上限までリジェクト景品４０が収納されると、リジェクト収納庫残留検知センサが異常状態になる。これに応じて、制御部１５は、係員にエラー解除（リジェクト景品４０の抜き取り）を促すためのガイダンスとして、図１４に示すように、表示部７に、矢印８５と、イラスト８６と、メッセージ８７とを表示する。矢印８５は、表示部７の左上の角に位置する大きな黒塗りの矢印である。矢印８５は、対象となるリジェクト収納庫の現物を指している。そのため、係員は、矢印８５が指すリジェクト収納庫の現物に目を向けて、実際にリジェクト収納庫に上限までリジェクト景品４０が収納されていることを認識できる。
【０１０２】
また、イラスト８６は、景品読取機１を模式的に示したものであり、イラスト８６では、対象となるリジェクト収納庫に該当する箇所が、図１４ではドットで示されているように強調表示されている。また、イラスト８６には、リジェクト収納庫に該当する箇所を指すミニ矢印８８も表示されている。よって、係員は、イラスト８６を見ることによっても、リジェクト収納庫に上限までリジェクト景品４０が収納されていることを認識できる。なお、このイラスト８６は、表示部７において矢印８５（換言すれば、リジェクト収納庫の現物）に極力近い位置に表示されていると、係員に強く報知できる。
【０１０３】
メッセージ８７は、表示部７において、矢印８５およびイラスト８６以外の余った領域に表示されている。メッセージ８７は、エラーの種類を示す見出し（図１４では、「！リジェクト収納庫残留検知センサ異常」）や、係員へのエラー解除の方法（見出しの下の各文章）や、エラー解除に関連して係員に操作させるタッチキー８９等を含んでいる。係員がエラー解除を完了させると、表示部７には、矢印８５、イラスト８６およびメッセージ８７が表示されなくなる。
【０１０４】
また、別の例として、景品読取機１の右下部分に異常が発生した場合には、制御部１５は、係員にエラー解除を促すためのガイダンスとして、図１５に示すように、表示部７に、矢印８５と、イラスト８６と、メッセージ８７とを表示する。矢印８５は、対象となる部分（景品読取機１の右下部分）の現物を指している。そのため、係員は、矢印８５が指す景品読取機１の右下部分に異常が発生したことを実際に目視で確認できる。
【０１０５】
また、イラスト８６では、対象となる部分に該当する箇所が、図１５では黒丸で示されているように強調表示されている。また、イラスト８６には、当該部分に該当する箇所を指すミニ矢印８８も表示されている。よって、係員は、イラスト８６を見ることによっても、景品読取機１の右下部分に異常が発生したことを認識できる。なお、この場合においても、イラスト８６は、表示部７において矢印８５（景品読取機１の右下部分）に極力近い位置に表示されていることが好ましい。さらに、表示部７において、矢印８５およびイラスト８６以外の余った領域に表示されたメッセージ８７は、エラーの種類を示す見出し（図１５では、「！開始ＳＷ（スイッチ）異常」）や、係員へのエラー解除の方法（見出しの下の各文章）や、タッチキー８９等を含んでいる。係員がエラー解除を完了させると、表示部７には、矢印８５、イラスト８６およびメッセージ８７が表示されなくなる。
【０１０６】
また、景品読取機１における通常の運用操作のガイダンスが、図１６に示すように表示部７に表示されてもよい。
たとえば、収納庫７１（ここでは、下側収納エリア７９Ａとする）に景品４０が残ったままの状態で、係員によって追加の景品４０がセット部２８（図３参照）にセットされると、制御部１５は、収納庫７１からの景品４０の抜き取りを促すために、図１６に示すように、表示部７に、矢印８５と、イラスト８６と、メッセージ８７とを表示する。矢印８５は、下側収納エリア７９Ａの現物を指している。図１６のイラスト８６では、対象となる下側収納エリア７９Ａに該当する箇所が、ドットで強調表示されている。メッセージ８７は、追加の景品４０をセットする前に収納庫７１から景品４０の抜き取りを促す内容となっている。
【０１０７】
また、リジェクト（詳しくはジャム）が発生した場合には、景品４０の再識別（再計数）を促す旨のガイダンスが、図１７に示すように表示部７に表示されてもよい。
リジェクトが発生すると、制御部１５は、図１７に示すように、表示部７に、矢印８５と、イラスト８６と、メッセージ８７とを表示する。矢印８５は、再識別の対象となる景品４０が存在する部分（各収納エリア７９およびセット部２８）の現物を１つずつ指すように複数表示されている。図１７のイラスト８６では、再識別の対象となる景品４０が存在する部分に該当する箇所が、ドットで強調表示されている。メッセージ８７は、各収納エリア７９およびセット部２８から景品４０を抜き取ってから再度セットし直すことを促す内容となっている。係員が景品４０を抜き取ると、抜き取りが完了した部分から、当該部分を指す矢印８５が表示部７から順次消えていく。そして、全ての矢印８５が消えるのと同時に、表示部７からイラスト８６とメッセージ８７とが消える。
【０１０８】
また、以上で説明した表示部７でのガイダンス表示に関し、表示態様は任意に変更可能である。たとえば、前述した矢印８５を強調表示したいのであれば、矢印８５を特大にし、かつ、目立つ色（たとえば赤色）で表示すればよい。また、緊急度がそれほど高くないレベル（たとえば警告レベル）であれば、矢印８５を、赤色ほど目立たない色（たとえば黄色に近い色）で表示すれば、係員は、緊急度を矢印８５の色によって把握できる。また、前述したような運用操作のガイダンス（つまり、通常のオペレーションの手伝いレベル）であれば、矢印８５を、たとえば蛍光色の緑色で表示することによって、通常のガイドであることを係員に強調してもよい。このように矢印８５の色を状況に応じて変更できる設定があってもよい。なお、必要に応じて、矢印８５を点灯表示させる以外に、点滅表示させてもよい。また、矢印８５の色を変える以外に、表示部７における背景色を変更しても構わない。
【０１０９】
次に、景品４０において、有価物４２を本体４１から取り出そうとする不正を防止できる構造について、図１８〜図２５を参照しながら説明する。
景品４０は、前述した本体４１、有価物４２、ＩＣタグ４３およびホログラム４４を含んでいる。なお、以下では、ホログラム４４についての説明および図示（図１８〜図２５での図示）を省略する。
【０１１０】
図１８を参照して、本体４１は、ケース９０と、中板９１と、蓋９２とを含んでいる。
ケース９０は、所定の厚み（景品４０全体の厚みに相当する）を有する長方形の板状であって、厚さ方向における一方の側面には、凹部９３が形成されている。凹部９３は、第１凹部９４と、第１凹部９４の底面９４Ａからさらに窪む第２凹部９５と、第２凹部９５の底面９５Ａからさらに窪む第３凹部９６とで構成されている。ケース９０の厚み方向から見て、第１凹部９４、第２凹部９５および第３凹部９６の輪郭は、ケース９０の輪郭と相似する長方形状であって、この順番で徐々に小さくなっている。ケース９０の厚み方向から見て、第１凹部９４の底面９４Ａは、第２凹部９５を取り囲む長方形の額縁形状であり、第２凹部９５の底面９５Ａは、第３凹部９６を取り囲む長方形の額縁形状であり、第３凹部９６の底面９６Ａは、第２凹部９５の底面９５Ａに取り囲まれる長方形状である。ケース９０において凹部９３が形成された側とは反対側の側面（図１８における下面）が、景品４０における前述した裏面４０Ｂである。
【０１１１】
中板９１は、第２凹部９５の深さとほぼ同じ厚さを有する長方形の板状であり、厚さ方向から見たときの中板９１の輪郭は、第２凹部９５の輪郭とほぼ一致している。中板９１の中央位置（重心位置）には、有価物４２をちょうど収容することができる大きさの貫通孔９１Ａが形成されている。
蓋９２は、第１凹部９４の深さとほぼ同じ厚さを有する長方形の板状であり、厚さ方向から見たときの蓋９２の輪郭は、第１凹部９４の輪郭とほぼ一致している。蓋９２全体は、透明または半透明である。
【０１１２】
そして、前述したＩＣタグ４３は、第３凹部９６の深さとほぼ同じ厚さを有する長方形の板状であり、厚さ方向から見たときのＩＣタグ４３の輪郭は、第３凹部９６の輪郭とほぼ一致している。図２０および図２１を参照して、ＩＣタグ４３は、本体９７と、アンテナ部９８と、ＩＣチップ９９とを含んでいる。
本体９７は、ＩＣタグ４３の外郭をなす長方形の基板であって、その外周縁（長辺および短辺のそれぞれ）の全域には、複数のスリット１００が等間隔で形成されている。各スリット１００は、本体９７の外周縁から内側へ向けて、本体９７を厚さ方向に切り込んでいる。また、本体９７の中央位置（重心位置）には、本体９７を厚さ方向に切り込む２つのスリット１０１が形成されている。各スリット１０１は、略Ｕ字形状であり、一対のスリット１０１は、互いに離れる方向へ膨出するように配置されている。これらのスリット１０１は、互いにつながっていない。
【０１１３】
なお、図２０および図２１のそれぞれにおける本体９７の上面を、本体９７の表面９７Ａといい、本体９７の下面を、本体９７の裏面９７Ｂということにする。
アンテナ部９８は、ＩＣタグ４３が景品読取機１のＩＣリーダライタ５７と通信するためのワイヤである。アンテナ部９８は、本体９７の表面９７Ａに設けられる表面側アンテナ部９８Ａ（図２０における実線部分）と、本体９７の裏面９７Ｂに設けられる裏面側アンテナ部９８Ｂ（図２０における破線部分）とを主に含んでいる。
【０１１４】
表面側アンテナ部９８Ａは、本体９７の表面９７Ａにおいて外周縁（スリット１００が形成された部分）よりも内側（本体９７の中央位置側）に配置されていて、本体９７の長辺および短辺に沿う螺旋状（コイル状）になっていて、本体９７の中央位置（一対のスリット１０１に囲まれた部分）まで延びている。裏面側アンテナ部９８Ｂは、表面側アンテナ部９８Ａにおいて本体９７の外周縁側にある一端部９８Ｃと、本体９７の中央位置にある他端部９８Ｄとをつなぐように延びている。
【０１１５】
図２１を参照して、本体９７において一端部９８Ｃおよび他端部９８Ｄのそれぞれと一致する部分には、本体９７を貫通する複数のスルーホール（ビアホール）１０２が形成されている。表面側アンテナ部９８Ａの一端部９８Ｃと裏面側アンテナ部９８Ｂとは、一端部９８Ｃにおけるスルーホール１０２（厳密には、スルーホール１０２に充填された導電性材料）によって電気的に接続されている。また、表面側アンテナ部９８Ａの他端部９８Ｄと裏面側アンテナ部９８Ｂとは、他端部９８Ｄにおけるスルーホール１０２（厳密には、スルーホール１０２に充填された導電性材料）によって電気的に接続されている。これにより、アンテナ部９８では、表面側アンテナ部９８Ａと裏面側アンテナ部９８Ｂとの通電性が確保されている。
【０１１６】
ＩＣチップ９９は、ＩＣタグ４３において実際に情報を記憶する部分であり、アンテナ部９８（ここでは、表面側アンテナ部９８Ａ）の途中に介在されている。
このような本体９７の表面９７Ａおよび裏面９７Ｂの全域は、強い粘着性を有する粘着材１０３によってコーティングされている。粘着材１０３は、表面９７Ａでは、表面９７Ａだけでなく、表面側アンテナ部９８ＡおよびＩＣチップ９９も覆っていて、裏面９７Ｂでは、裏面９７Ｂだけでなく、裏面側アンテナ部９８Ｂも覆っている。また、本体９７の各スリット１００は、表面９７Ａおよび裏面９７Ｂの粘着材１０３も切り込んでおり、本体９７の各スリット１０１は、表面９７Ａの粘着材１０３も切り込んでいる。
【０１１７】
図１８の姿勢を基準として、このようなＩＣタグ４３は、本体９７の表面９７Ａが上を向いた状態で、ケース９０の第３凹部９６に嵌め込まれる。ＩＣタグ４３では、本体９７の裏面９７Ｂが、第３凹部９６の底面９６Ａに、粘着材１０３（図２１参照）や強力両面テープ（底面９６Ａに設けられている、図示せず）によって固定される。これにより、ＩＣタグ４３は、第３凹部９６内において外れ不能に固定される。
【０１１８】
次いで、中板９１が、ケース９０の第２凹部９５に嵌め込まれる。中板９１は、第２凹部９５の底面９５Ａに対して、底面９５Ａに設けられた強力両面テープ（図示せず）によって固定される。これにより、中板９１は、第２凹部９５内において外れ不能に固定される。中板９１が第２凹部９５内で固定された状態では、中板９１の中央位置にある貫通孔９１Ａと、ＩＣタグ４３の本体９７の中央位置（一対のスリット１０１で囲まれた部分）とは、ケース９０の厚さ方向から見て一致している。前述した有価物４２は、中板９１の貫通孔９１Ａに収容されつつ、本体９７の表面９７Ａ（厳密には、表面９７Ａの粘着材１０３であり、図２１参照）に固定されている。
【０１１９】
最後に、蓋９２が、ケース９０の第１凹部９４に嵌め込まれる。蓋９２は、第１凹部９４の底面９４Ａに対して、超音波溶着によって固定される。これにより、蓋９２は、ケース９０の外側から中板９１および有価物４２を覆った状態で、第１凹部９４内において外れ不能に固定される。また、蓋９２と中板９１とは超音波溶着によって互いに固定される。
【０１２０】
以上により、図１９に示すように景品４０が完成する。なお、図１９における蓋９２の上面は、景品４０の前述した表面４０Ａとなっている。蓋９２がケース９０の凹部９３を表面４０Ａ側から塞いでいるので、中板９１、有価物４２およびＩＣタグ４３は凹部９３内で密封されている。
この景品４０では、ＩＣタグ４３が、本体９７においてスリット１００および１０１（図１８参照）という脆弱部を有することから、脆弱性を有するＩＣタグ（脆弱性ＩＣタグ）となっている。
【０１２１】
図２２（ａ）に示すようにケース９０から、蓋９２、中板９１およびＩＣタグ４３を分離し、図２２（ｂ）に示すように中板９１からＩＣタグ４３を剥がして有価物４２を抜き取ろうとする不正行為が考えられる。この場合、有価物４２を抜き取った後に、景品４０を元の状態に戻して、有価物４２のない景品４０を換金してもらおうという不正の意図がある。
【０１２２】
ただし、中板９１からＩＣタグ４３を剥がそうとすると、ＩＣタグ４３は、図２３（ａ）に示す元の状態（ＩＣタグ４３を剥がす前の状態）から、図２３（ｂ）に示すように、本体９７がいずれかのスリット１００を起点として破れてアンテナ部９８（図２０参照）が途中で破断してしまった状態になる。これでは、アンテナ部９８が機能できないことから、ＩＣタグ４３が景品読取機１のＩＣリーダライタ５７と通信することは不可能である。よって、有価物４２が抜き取られた後に元の状態に戻された景品４０は、景品読取機１において偽物と判別される。
【０１２３】
図２２に示すように景品４０の裏面４０Ｂから有価物４２を取ろうとする不正とは異なり、図２４（ａ）に示すように蓋９２において中板９１の貫通孔９１Ａと重なる部分に穴１０４を開けて、図２４（ｂ）に示すように穴１０４を介して景品４０の表面４０Ａから有価物４２を取ろうとする不正も考えられる。この場合も、有価物４２を抜き取った後に、景品４０を元の状態に戻して、有価物４２のない景品４０を換金してもらおうという不正の意図がある。
【０１２４】
ただし、図２５（ａ）に示す元の状態（有価物４２を抜き取る前の状態）のＩＣタグ４３から、当該ＩＣタグ４３の本体９７の表面９７Ａに固定された有価物４２を引き剥がそうとすると、図２５（ｂ）に示すように、本体９７において有価物４２が付いている部分（本体９７の中央部分９７Ｃ）が、スリット１０１を境界として本体９７から分離し、有価物４２と共に引き抜かれてしまう。これでは、本体９７が中央位置で破れてアンテナ部９８が途中で破断してしまった状態になる。この場合も、アンテナ部９８が機能できないことから、ＩＣタグ４３が景品読取機１のＩＣリーダライタ５７と通信することは不可能である。よって、有価物４２が抜き取られた後に元の状態に戻された景品４０は、景品読取機１において偽物と判別される。
【０１２５】
この発明は、以上の実施形態の内容に限定されるものではなく、請求項記載の範囲内において種々の変更が可能である。
たとえば、この景品読取機１において景品４０を繰り出して搬送し、収納する構成は、景品４０以外の物品（カード等）を取り扱う装置にも適用可能である。
また、景品４０において、ＩＣタグ４３のＩＣチップの代わりに、二次元バーコードを用いてもよく、その場合は、二次元バーコードの読み取りによって金種判定を行う。
【０１２６】
また、前述した実施形態において景品４０を搬送する無端状の搬送体は、ベルト２２であったが、ベルト２２の代わりに、チェーンを用いることもできる。
また、複数の収納エリア７９の並びは、上下でなく、前後であってもよい。また、景品４０を搬送する向きや集積する向きは、適宜変更してもよい。
また、前述したように、制御部１５は、読取部５２の各カラーセンサ５５が景品４０のホログラム４４から所定の異なる色を読み取れた場合（前述した実施形態では、カラーセンサ５５Ａが赤色を読み取り、かつ、カラーセンサ５５Ｂが緑色を読み取った場合）に、読取部５２が本物のホログラム４４を読み取れたとする。そして、制御部１５は、読取部５２が景品４０から（本物の）ホログラム４４を読み取れたか否かによって当該景品４０の真偽を判別するようになっている。これに代え、制御部１５は、各カラーセンサ５５がホログラム４４から色（厳密には、異なる色）を読み取りさえすれば、読取部５２がホログラム４４を読み取れたと判断し、その後、当該色（つまり、読取部５２の各カラーセンサ５５が景品４０から読み取ったホログラム４４の情報）に基づいて、当該景品４０の真偽を判別してもよい。たとえば、カラーセンサ５５Ａがホログラム４４から青色を読み取り、カラーセンサ５５Ｂが当該ホログラム４４から黄色を読み取った場合には、制御部１５は、読取部５２が景品４０からホログラム４４をとりあえず読み取れたと判断する。その後、制御部１５は、カラーセンサ５５Ａが読み取った青色が（本来読み取るべき）赤色でなく、カラーセンサ５５Ｂが読み取った黄色が（本来読み取るべき）緑色でないことから、当該ホログラム４４が付いた景品４０を偽物と判別する。
【符号の説明】
【０１２７】
１    景品読取機
６    識別部
１１  繰出部
１５  制御部
２２  ベルト
３２  搬送路
３５  突起
４０  景品
７１  収納庫
Ｃ    曲り角
Ｐ    間隔
Ｑ    寸法
Ｒ    周方向
Ｙ    同一直線
【図１】
2015039426.tif 000003
【図２】
2015039426.tif 000004
【図３】
2015039426.tif 000005
【図４】
2015039426.tif 000006
【図５】
2015039426.tif 000007
【図６】
2015039426.tif 000008
【図７】
2015039426.tif 000009
【図８】
2015039426.tif 000010
【図９】
2015039426.tif 000011
【図１０】
2015039426.tif 000012
【図１１】
2015039426.tif 000013
【図１２】
2015039426.tif 000014
【図１３】
2015039426.tif 000015
【図１４】
2015039426.tif 000016
【図１５】
2015039426.tif 000017
【図１６】
2015039426.tif 000018
【図１７】
2015039426.tif 000019
【図１８】
2015039426.tif 000020
【図１９】
2015039426.tif 000021
【図２０】
2015039426.tif 000022
【図２１】
2015039426.tif 000023
【図２２】
2015039426.tif 000024
【図２３】
2015039426.tif 000025
【図２４】
2015039426.tif 000026
【図２５】
2015039426.tif 000027